(57)【特許請求の範囲】
【請求項１】
動作電源を供給するバッテリーと、
上記バッテリーの残容量を検出する残容量検出部と、
上記残容量検出部が検出した上記バッテリーの残容量に応じた表示を行う残容量表示部と、
電源を少なくともオフする際に操作される所定の操作子を含む複数の操作子を備えた操作部と、
正規ユーザであることを示す認証情報を取得するための認証取得部と、
外部から見て動作していることが認識不可能な状態で情報通信を行う通信部と、
外部から見て動作していることが認識不可能な状態で少なくとも現在位置の情報を取得する情報取得部と、
上記所定の操作子を介して電源をオフする操作指示が入力された時に、上記認証取得部にて正規ユーザであることを示す認証情報が取得されていない場合には、外部から見て当該端末が動作していることを認識可能な全ての機能を停止状態に制御する一方で、上記通信部と情報取得部の機能は動作状態を維持する制御を行い、上記操作部から電源をオンする操作指示が入力された時に、上記認証取得部にて正規ユーザであることを示す認証情報が取得されていない場合には、上記残容量検出部が検出している上記バッテリーの残容量によらずに、当該バッテリーの残容量が不充分であることを示す警告表示を上記残容量表示部に行わせる制御部と、
を有する携帯通信端末。
【請求項２】
上記制御部は、上記通信部にて通信動作が行われる際に、上記情報取得部を制御して上記現在位置の情報を取得させ、当該取得した現在位置の情報を、上記通信部での上記通信動作時に所定の相手先へ送信させる制御を行う請求項１記載の携帯通信端末。
【請求項３】
時間を計測する時間計測部を有し、
上記制御部は、上記時間計測部により計測される一定時間毎に、上記情報取得部を制御して上記現在位置の情報を取得させ、当該取得した現在位置の情報を上記通信部から所定の相手先へ送信させる制御を行う請求項１記載の携帯通信端末。
【請求項４】
上記認証取得部は、上記操作部から入力された認証情報を取得する請求項１記載の携帯通信端末。
【請求項５】
上記認証取得部は、生体認証情報を取得する請求項１記載の携帯通信端末。
【請求項６】
上記認証取得部は、上記通信部を通じた情報通信により認証情報を取得する請求項１記載の携帯通信端末。
【請求項７】
上記制御部は、上記通信部を通じた情報通信によって上記認証情報と共に送られてくる制御情報に基づいて、少なくとも上記通信部での情報通信動作と上記情報取得部での現在位置情報の取得動作を制御する請求項６記載の携帯通信端末。
【請求項８】
上記制御部は、上記残容量検出部が検出した上記バッテリーの残容量が所定閾値以下になったときに、上記時間計測部により計測される一定時間毎に、上記情報取得部を制御して上記現在位置の情報を取得させ、当該取得した現在位置の情報を上記通信部から所定の相手先へ送信させる制御を行う請求項３記載の携帯通信端末。
【請求項９】
動作電源を供給するバッテリーの残容量を残容量検出部が検出するステップと、
上記残容量検出部が検出した上記バッテリーの残容量に応じた表示を残容量表示部が行うステップと、
正規ユーザであることを示す認証情報を認証取得部が取得するステップと、
外部から見て動作していることが認識不可能な状態で通信部が情報通信を行うステップと、
外部から見て動作していることが認識不可能な状態で情報取得部が少なくとも現在位置の情報を取得するステップと、
所定の操作子を介して電源をオフする操作指示、若しくは電源をオンする操作指示が入力されたか否かを制御部が判定するステップと、
上記所定の操作子を介して電源をオフする操作指示が入力された時に、正規ユーザであることを示す認証情報が認証取得部にて取得されているか否かを制御部が判定するステップと、
上記所定の操作子を介して電源をオフする操作指示が入力された時に、上記正規ユーザであることを示す認証情報が認証取得部にて取得されていない場合には、制御部が、外部から見て当該端末が動作していることを認識可能な全ての機能を停止状態に制御する一方で、上記通信部と情報取得部の機能は動作状態を維持させるステップと、
上記所定の操作子を介して電源をオンする操作指示が入力された時に、上記正規ユーザであることを示す認証情報が認証取得部にて取得されていない場合には、制御部が、上記残容量検出部の検出しているバッテリーの残容量によらずに、当該バッテリーの残容量が不充分であることを示す警告表示を上記残容量表示部に行わせるステップと、
を有する携帯通信端末の制御方法。
【請求項１０】
所定の操作子を介して電源をオフする操作指示が入力された時に、正規ユーザであることを示す認証情報が認証取得部にて取得されていない場合には、外部から見て当該端末が動作していることを認識可能な全ての機能を停止状態に制御する一方で、外部から見て動作していることが認識不可能な状態で現在位置の情報を情報取得部に取得させるとともに、外部から見て動作していることが認識不可能な状態で通信部に情報通信を行わせる処理と、
所定の操作子を介して電源をオンする操作指示が入力された時に、正規ユーザであることを示す認証情報が認証取得部にて取得されていない場合には、残容量検出部が検出しているバッテリーの残容量によらずに、当該バッテリーの残容量が不充分であることを示す警告表示を残容量表示部に行わせる処理とを、
携帯通信端末の制御部に実行させる携帯通信端末の制御プログラム。
【請求項１１】
所定の操作子を介して電源をオフする操作指示が入力された時に、正規ユーザであることを示す認証情報が取得されていない場合には、外部から見て当該端末が動作していることを認識可能な全ての機能を停止状態に制御する一方で、外部から見て動作していることが認識不可能な状態で現在位置の情報を取得するとともに、外部から見て動作していることが認識不可能な状態で情報通信を行い、上記所定の操作子を介して電源をオンする操作指示が入力された時に、正規ユーザであることを示す認証情報が取得されていない場合には、バッテリーの残容量によらずに、当該バッテリーの残容量が不充分であることを示す警告表示を行う携帯通信端末と、
上記携帯通信端末に対して認証情報と共に制御情報を送信し、その制御情報に応じて上記携帯通信端末から送られてくる上記現在位置の情報に基づいて、当該携帯通信端末の位置検索を行う位置検索装置と、
を有する通信システム。
【発明の詳細な説明】
【技術分野】
【０００１】
本発明は、携帯電話端末等の携帯通信端末と、その携帯通信端末の制御方法及び制御プログラム、その携帯通信端末を含む通信システムに関する。
【背景技術】
【０００２】
最近は、盗難、誘拐や拉致等の凶悪な犯罪の増加が大きな社会問題となっている。
【０００３】
一方で、近年は、携帯電話端末が普及し、大人のみならず子供を含む多くの人がそれぞれ自分専用の携帯電話端末を所有するようになってきている。これら携帯電話端末とその携帯電話システムによれば、通信圏内の基地局エリアの情報や、端末に内蔵されたＧＰＳ（Global Positioning System）機能から得られる緯度，経度情報を用いることで、その現在位置を知ることができるようになっている。このため従来より、例えば、携帯電話端末自体が盗まれたり、カーセキュリティ部品用の携帯電話端末を搭載した自動車が盗難されるような犯罪が発生した場合や、当該携帯電話端末を所持している人が誘拐，拉致等されたような犯罪が発生した場合、或いは、携帯電話端末を所持している人が行方不明になってしまったような場合には、それら携帯電話端末から得られる現在位置の情報を、それら犯罪の捜査や行方不明者の捜索に利用することが行われている。
【０００４】
なお、例えば特開２０００−２１６８６０号の公開特許公報（特許文献１）には、移動体通信装置から特定連絡先へ通信がなされた場合、その通信後に電源をオフできないようにして、その特定連絡先からの呼び戻しを可能にした移動体通信装置及び移動体電話交換機が開示されている。
【０００５】
また、例えば特開２００２−７８００１号の公開特許公報（特許文献２）には、携帯通信端末の通信部に、通話のための通信回路の通信機能を制御する通信機能制御回路を独立して設け、その通信機能制御回路は、暗証番号の認証機能、位置登録機能、通信制御信号の通信機能、通信機能起動・停止機能を有し、電源ＯＮ／ＯＦＦ状態、通信回路の通信機能の起動／停止状態に依存せずに、常に機能するようになされ、使用者による他端末からの遠隔操作を可能とすることにより、例えば携帯通信端末の紛失や盗難等時の不正使用防止を可能とした携帯通信端末、及びそれを用いた移動通信システムとその通信機能の遠隔制御方法が開示されている。
【０００６】
【特許文献１】特開２０００−２１６８６０号公報（第１図）
【特許文献２】特開２００２−７８００１号公報（第１図）
【発明の開示】
【発明が解決しようとする課題】
【０００７】
ところで、例えば、携帯電話端末自体が盗まれたり、カーセキュリティ部品用の携帯電話端末が自動車と共に盗難されたり、当該携帯電話端末を所持している人が誘拐，拉致等されたような場合、犯罪者は、それら携帯電話端末の電源を切る（ＯＦＦする）ことにより、上記位置情報による位置検索が出来ないようにすると考えられる。また、携帯電話端末を所持している人が例えば行方不明になってしまったような場合において、その人が故意若しくは誤って携帯電話端末の電源を切ってしまったような場合にも、位置情報が得られなくなるため、その人を捜索するのが困難になってしまう。
【０００８】
上述のように、携帯電話端末の電源が切られてしまった場合には、何らかの理由で当該携帯電話端末の電源が再びＯＮされるまで、その携帯電話端末の位置検索を行うことが出来なくなり、犯罪捜査が遅延してしまったり、行方不明者の捜索が困難になってしまうことになる。
【０００９】
本発明は、このような実情に鑑みて提案されたものであり、携帯電話端末等の携帯通信端末において、例えば第三者によりその電源が切られた場合でも、その位置検索が可能な携帯通信端末と、携帯通信端末の制御方法及び制御プログラム、その携帯通信端末を含む通信システムを提供することを目的とする。
【課題を解決するための手段】
【００１０】
本発明の携帯通信端末は、動作電源を供給するバッテリーと、バッテリーの残容量を検出する残容量検出部と、残容量検出部が検出した上記バッテリーの残容量に応じた表示を行う残容量表示部と、電源を少なくともオフする際に操作される所定の操作子を含む複数の操作子を備えた操作部と、正規ユーザであることを示す認証情報を取得するための認証取得部と、外部から見て動作していることが認識不可能な状態で情報通信を行う通信部と、外部から見て動作していることが認識不可能な状態で少なくとも現在位置の情報を取得する情報取得部と、所定の操作子を介して電源をオフする操作指示が入力された時に、認証取得部にて正規ユーザであることを示す認証情報が取得されていない場合には、外部から見て当該端末が動作していることを認識可能な全ての機能を停止状態に制御する一方で、通信部と情報取得部の機能は動作状態を維持する制御を行い、また、操作部から電源をオンする操作指示が入力された時に、認証取得部にて正規ユーザであることを示す認証情報が取得されていない場合には、残容量検出部が検出しているバッテリーの残容量によらずに、当該バッテリーの残容量が不充分であることを示す警告表示を残容量表示部に行わせる制御部とを有することにより、上述した課題を解決する。
【００１１】
また、本発明の携帯通信端末の制御方法は、動作電源を供給するバッテリーの残容量を残容量検出部が検出するステップと、残容量検出部が検出したバッテリーの残容量に応じた表示を残容量表示部が行うステップと、正規ユーザであることを示す認証情報を認証取得部が取得するステップと、外部から見て動作していることが認識不可能な状態で通信部が情報通信を行うステップと、外部から見て動作していることが認識不可能な状態で情報取得部が少なくとも現在位置の情報を取得するステップと、所定の操作子を介して電源をオフする操作指示、若しくは電源をオンする操作指示が入力されたか否かを制御部が判定するステップと、所定の操作子を介して電源をオフする操作指示が入力された時に、正規ユーザであることを示す認証情報が認証取得部にて取得されているか否かを制御部が判定するステップと、所定の操作子を介して電源をオフする操作指示が入力された時に、正規ユーザであることを示す認証情報が認証取得部にて取得されていない場合には、制御部が、外部から見て当該端末が動作していることを認識可能な全ての機能を停止状態に制御する一方で、通信部と情報取得部の機能は動作状態を維持させるステップと、所定の操作子を介して電源をオンする操作指示が入力された時に、正規ユーザであることを示す認証情報が認証取得部にて取得されていない場合には、制御部が、残容量検出部の検出しているバッテリーの残容量によらずに、当該バッテリーの残容量が不充分であることを示す警告表示を残容量表示部に行わせるステップとを有することにより、上述した課題を解決する。
【００１２】
また、本発明の携帯通信端末の制御プログラムは、所定の操作子を介して電源をオフする操作指示が入力された時に、正規ユーザであることを示す認証情報が認証取得部にて取得されていない場合には、外部から見て当該端末が動作していることを認識可能な全ての機能を停止状態に制御する一方で、外部から見て動作していることが認識不可能な状態で現在位置の情報を情報取得部に取得させるとともに、外部から見て動作していることが認識不可能な状態で通信部に情報通信を行わせる処理と、所定の操作子を介して電源をオンする操作指示が入力された時に、正規ユーザであることを示す認証情報が認証取得部にて取得されていない場合には、残容量検出部が検出しているバッテリーの残容量によらずに、当該バッテリーの残容量が不充分であることを示す警告表示を残容量表示部に行わせる処理とを、携帯通信端末の制御部に実行させることにより、上述した課題を解決する。
【００１３】
また、本発明の通信システムは、所定の操作子を介して電源をオフする操作指示が入力された時に、正規ユーザであることを示す認証情報が取得されていない場合には、外部から見て当該端末が動作していることを認識可能な全ての機能を停止状態に制御する一方で、外部から見て動作していることが認識不可能な状態で現在位置の情報を取得するとともに、外部から見て動作していることが認識不可能な状態で情報通信を行い、所定の操作子を介して電源をオンする操作指示が入力された時に、正規ユーザであることを示す認証情報が取得されていない場合には、バッテリーの残容量によらずに、当該バッテリーの残容量が不充分であることを示す警告表示を行う携帯通信端末と、当該携帯通信端末に対して認証情報と共に制御情報を送信し、その制御情報に応じてその携帯通信端末から送られてくる現在位置の情報に基づいて、当該携帯通信端末の位置検索を行う位置検索装置とを有することにより、上述した課題を解決する。
【００１４】
すなわち、本発明によれば、電源のオフ操作がなされた時に、認証情報が入力されなかった場合、外部から見て当該端末が動作していることを認識可能な全ての機能を停止状態に制御することで、正規ユーザではない第三者には、その端末の電源がオフ状態になったと思わせている。また、その時、外部から見て動作していることが認識不可能な情報取得手段と通信手段については動作状態を維持させることで、正規ユーザではない第三者に知られることなく、当該端末の現在位置を所望の相手先へ送ることができる。
【発明の効果】
【００１５】
本発明においては、電源のオフ操作がなされた時に、認証情報が入力されなかった場合には、情報取得手段と通信手段以外の機能をオフ状態にすることで、当該端末が第三者により不正に使用され、その電源が切られた場合であっても、当該端末の現在位置を所望の相手先へ送ることができ、したがって、この端末の位置検索が可能となる。
【発明を実施するための最良の形態】
【００１６】
以下、図面を参照しながら、本発明の携帯通信端末、携帯通信端末の制御方法、通信システムの一実施形態について説明する。
【００１７】
なお、本実施形態では、本発明の携帯通信端末と通信システムの一例として、携帯電話端末と携帯電話システムを挙げているが、勿論、ここで説明する内容はあくまで一例であり、本発明はこの例に限定されないことは言うまでもない。
【００１８】
〔本実施形態の携帯電話システムの概要〕
図１には、本発明実施形態の携帯電話システムの概念図を示す。
【００１９】
この図１において、本実施形態の携帯電話システムは、当該携帯電話システムを運営する通信事業会社の通信網５と、その携帯電話システムの基地局７と、その通信事業会社の携帯電話システムに加入している各加入者の携帯電話端末８と、当該携帯電話端末８による通話や電子メール等のデータ通信，加入者情報等を管理する携帯電話システム管理サーバ６と、回線交換機能やパケット交換機能，ゲートウェイ機能等を備え、他社の携帯電話通信網やインターネット２との間の接続制御を行うコアネットワークシステム４とを有して構成されている。また、インターネット２には、例えば、上記携帯電話端末８の加入権利保持者（以下適宜、管理者と表記する）のパーソナルコンピュータ１や、当該管理者が加入しているインターネットプロバイダのサーバ３等が接続可能となされている。
【００２０】
〔本実施形態の携帯電話端末の概要〕
本実施形態において、上記携帯電話端末８は、上記管理者専用の端末である場合の他、その管理者の管理下にある人、すなわち例えば親が管理者（保護者）である場合の子供や、逆に子供が管理者である場合の老齢の親等が使用する端末、或いは、管理者が所有する自動車にセキュリティ部品として搭載される端末などである。本実施形態では、上記携帯電話端末８の使用者が管理者とは異なる場合を例に挙げて説明を進めることにする。
【００２１】
また、本実施形態において、上記携帯電話端末８は、例えばＧＰＳ等による測位機能を備えており、管理者がパーソナルコンピュータ１を用いてその端末８の位置検索を行える機能を備えている。
【００２２】
また、本実施形態の携帯電話端末８は、電源ＯＦＦボタンが押されて電源が切れる（電源ＯＦＦとなる）際に、予め登録されている所定の認証情報の入力がなされない限り、完全に電源をＯＦＦすることができない機能を備えている。すなわち、本実施形態の携帯電話端末８は、所定の認証情報の入力がなされない状態で電源ＯＦＦボタンが押下された場合、例えばディスプレイ表示やキー照明，着信ランプの点灯、キー操作音や着信音の出力、バイブレータの振動など、外部から見て当該端末８が動作していること（つまり電源ＯＮ状態であること）を認識可能な全ての機能についてはＯＦＦ状態にする一方で、外部から見て動作しているかどうか判らない機能、特に、位置検索に必要な各ＧＰＳ測位機能と、電話や電子メールの送受信，ウェブアクセスを行うための情報通信に必要な通信機能、上記通信機能やＧＰＳ測位機能を一定時間毎にＯＮ／ＯＦＦさせるタイマー動作を必要に応じて行うための時間計測機能、管理者側からインターネット２等を介して送られてくる制御情報を上記通信機能を介して受信した時に、その制御情報に応じて当該携帯電話端末８の各機能（この場合は外部から動作状態を認識できない機能）を制御するための制御機能等は、ＯＮ状態を維持するようになされている。その他にも、例えばＢｒｅｗ（Binary runtime environment for wireless）機能、Ｊａｖａ（登録商標）機能等も、外部から見て動作しているかどうか判らない状態で動作可能となされている。なお、以下の説明では、上述したように、電源ＯＦＦボタンを押して電源を切る際に所定の認証情報の入力がなされず、外部から見て当該端末８が動作していることを認識可能な全ての機能がＯＦＦ状態となされ、一方、ＧＰＳ測位機能、通信機能、時間計測機能、制御機能等についてはＯＮ状態を維持している状態を、特に「見掛け上の電源ＯＦＦ状態」と呼ぶことにする。
【００２３】
ここで、本実施形態において、上記携帯電話端末８の電源を完全にＯＦＦするために入力される所定の認証情報としては、例えば当該携帯電話端末８のキー操作部から入力される暗証番号の情報、当該携帯電話端末８に指紋，虹彩，静脈等の生体認証デバイス等が搭載されている場合にはその生体認証デバイス等からの入力情報、管理者側からインターネット２を介して例えば電子メール等により送られてくる認証情報（例えば暗証番号，パスワードなど）を挙げることができる。また、当該所定の認証情報が例えばキー操作部から入力される暗証番号である場合、本実施形態の携帯電話端末８は、その暗証番号の入力が電源ＯＦＦボタンが押される前若しくは後の所定時間内に行われたか否か判断し、当該所定時間内に正しい暗証番号の入力が行われなかった時には当該端末の状態を「見掛け上の電源ＯＦＦ状態」とするが、その際、例えばディスプレイ上に暗証番号の入力を求める表示等は行わず、電源を完全にＯＦＦするために上記電源ＯＦＦボタンの操作以外に別途何らかの操作（この場合は暗証番号の入力操作）が必要であることを、外部に一切知らせないようになされている。
【００２４】
また、本実施形態の携帯電話端末８は、例えば「見掛け上の電源ＯＦＦ状態」である場合において、上記端末が移動させられたことをＧＰＳ測位機能にて検出した時や、基地局エリアが切り替わった時、管理者側からインターネット２を介して位置検索制御がなれた時、上記時間計測機能によるタイマー設定時間になった時には、外部から見て動作しているかどうか判らない状態で、上記ＧＰＳ測位機能にて検出した現在位置情報或いは先に測位して内部メモリ等に保存しておいた位置情報を、予め決められている所定の相手先、すなわち例えば管理者のパーソナルコンピュータ１や携帯電話端末、携帯電話システムの通信事業会社の所定端末等に宛てて、上記通信機能により送信する機能を備えている。
【００２５】
また、本実施形態の携帯電話端末８は、上記「見掛け上の電源ＯＦＦ状態」にて電源ＯＮボタンが押下された時には、通常時と何ら変わらない動作で電源ＯＮ状態になる機能を備えている。但し、このように「見掛け上の電源ＯＦＦ状態」にて電源ＯＮボタンが押下されて電源ＯＮ状態になった場合、上述の「見掛け上の電源ＯＦＦ状態」と同様に、当該端末８の移動をＧＰＳ測位機能にて検出した時、基地局エリアの切り替わり時、管理者側からの位置検索制御がなれた時、上記時間計測機能によるタイマー設定時間になった時に、外部から見て動作しているかどうか判らない状態で、位置検索とその位置情報の送信とを行う。なお、本実施形態の携帯電話端末８は、「見掛け上の電源ＯＦＦ状態」から電源ＯＮ状態になった場合だけでなく、通常の電源ＯＮ状態の時にも、例えば管理者からの位置検索制御がなされた時には、外部から見て動作しているかどうか判らない状態で上記位置検索とその位置情報の送信を行うことも可能となされている。
【００２６】
また、本実施形態の携帯電話端末８に対して、管理者若しくはその管理者からの依頼を受けた者等の正当な者以外の第三者から位置検索や制御のためのアクセスがなされたような場合には、外部から不正なアクセスがなされたことを知らせるために、例えばディスプレイ上に警告表示を行ったり、警告音を出力したり、バイブレータを振動させるようにしても良い。
【００２７】
さらに、本実施形態の携帯電話端末８は、上記「見掛け上の電源ＯＦＦ状態」にて電源ＯＮボタンが押下された時には、バッテリーの残量が例え充分に残っている場合であっても、ディスプレイ上のバッテリー残量表示をエンプティ表示（電池切れ警告表示）にする機能を有している。なお、バッテリー残量表示のエンプティ表示は、例えば管理者等からの制御情報により行わせることも可能である。
【００２８】
また、本実施形態の携帯電話端末８は、「見掛け上の電源ＯＦＦ状態」において例えば時間計測機能によるタイマー動作の設定がなされていない場合には、例えばバッテリー残量が所定の閾値以下になるか否か判断し、バッテリー残量が所定閾値以下になる虞があるときには、上記時間計測機能によるタイマー動作に移行したり、例えば、基地局へ位置登録を行う時間の間隔を長くする機能を有している。なお、既にタイマー動作設定がなされている場合にバッテリー残量が更に減少してしまった場合には、タイマー動作の設定時間をさらに延ばすようにしても良い。
【００２９】
その他、本実施形態の携帯電話端末８は、電源ＯＦＦボタンが押された際に所定の認証情報の入力がなされなかった場合には、予め決められている所定のホームページ（例えば不正な電源ＯＦＦ操作がなされたことをアップするためのホームページ等）に、外部から見て動作しているかどうか判らない状態でアクセスしてから「見掛け上の電源ＯＦＦ状態」に移行しても良い。
【００３０】
また、本実施形態の携帯電話端末８は、上記予め決められている所定の相手先に対して情報送信を行う際には、上記位置検索により得られた位置情報と共に、若しくはそれに代えて、当該端末８が備えているカメラ部により撮影した画像情報や、マイクロホンにて取り込んだ音声情報、当該端末の正当な使用者以外の第三者が上記生体認証デバイスに触れたときに当該生体認証デバイスが読み取った第三者の指紋や虹彩，静脈の読み取り情報等を送信する機能をも備えている。
【００３１】
また、上記「見掛け上の電源ＯＦＦ状態」になった場合、本実施形態の携帯電話端末８は、携帯電話システムの管理サーバ６に対して「見掛け上の電源ＯＦＦ状態」である旨を通知する機能を備えている。そして、本実施形態によれば、その通知を受けた携帯電話システム管理サーバ６は、当該携帯電話端末８への発呼に対する留守番電話サービスを立ち上げる一方で、管理者等からの電子メール等による制御情報については当該端末８へ送信するような設定を行う。なお、本実施形態のように、管理者側からのインターネットを経由した電子メールのみ配信する設定になされている場合、例えば携帯電話システム固有の簡易電子メールについては送信しない設定にする。
【００３２】
〔携帯電話端末の概略的な内部構成〕
図２には、上述した各機能を備えた本発明実施形態の携帯電話端末８の概略的な内部構成を示す。
【００３３】
通信アンテナ１２は、例えば内蔵アンテナであり通話やパケット通信のための信号電波の送受信を行う。通信回路１１は、送受信信号の周波数変換、変調と復調等を行う。なお、パケット通信により送受信されるデータは、電子メールデータ、動画像や静止画の画像データ、音声データ、ＨＴＭＬ（Hyper Text Markup Language）データ、プログラムデータ、その他の各種データである。ここで、上記通信アンテナ１２及び通信回路１１の受信データが通話音声のデータである場合、その通話音声のデータはデータラインを介して音声処理部２４へ送られ、それ以外の受信データは一旦、制御部１０へ送られて処理された後、必要に応じて当該制御部１０から各部へ送られる。
【００３４】
音声処理部２４は、上記通信アンテナ１２及び通信回路１１から通話音声の受信データが供給された時には、当該通話音声の受信データを復号化し、その復号化後の通話音声データをデータラインを介してスピーカ２０へ送る。なお、音声処理部２４は、制御部１０により設定される各種音質調整値（例えば音量、イコライジングなど）に基づいて、音声や音楽等を補正してスピーカ２０へ出力する処理等をも行う。
【００３５】
スピーカ２０は、携帯電話端末に設けられている受話用のスピーカやリンガ（着信音）、音楽再生、アラーム音出力用のスピーカであり、ディジタル／アナログ変換器と増幅器を含み、通話音声やリンガ音，再生音楽のデータを、ディジタル／アナログ変換及び増幅した後、出力する。これにより、通話音声やリンガ音，再生音楽が得られることになる。
【００３６】
マイクロホン２１は、送話用及び外部音声集音用のマイクロホンであり、アナログ／ディジタル変換器と増幅器を含む。このマイクロホン２１を介して入力された音声信号は、増幅器により所定のレベルに増幅された後、アナログ／ディジタル変換器によりディジタル音声データに変換され、データラインを介して音声処理部２４へ送られて符号化された後、データラインを介して通信回路１１へ送られて変調、周波数変換等の各種処理を受け、通信アンテナ１２から送信される。
【００３７】
表示部１３は、例えば液晶ディスプレイ等の表示デバイスと、そのディスプレイの表示駆動回路とを含み、上記ディスプレイ上に画像や文字等を表示する。
【００３８】
画像処理部２５は、内蔵メモリや図示しない外部メモリインターフェースを介して外部メモリから読み出された圧縮符号化されている画像データが供給された時には、その画像データの伸張復号化等の再生処理を行い、その伸張復号後の画像データをデータラインを介して表示部１３へ送る。なお、画像処理部２５は、制御部１０により設定される各種画質調整値（例えばホワイトバランス、ブライトネス、コントラスト、ガンマ補正など）に基づいて、画像の補正を行って表示部１３へ出力する。
【００３９】
操作部１４は、本実施形態の携帯電話端末の筐体上に設けられているテンキーや発話キー、終話／電源キー等の各キーや十字キー，ジョグダイヤル等の各操作子と、それら操作子が操作された時の操作信号を発生する操作信号発生器とからなる。
【００４０】
時計部１６は、年月日時等の情報を発生する時計機能、本実施形態の時間計測機能であるタイマー機能、ユーザ所望の時刻や周期，アラーム時間を設定する機能等を備えている。そして、当該時計部１６が生成した時間情報は、制御部１０へ送られる。
【００４１】
バッテリー１８は、例えば着脱可能な二次電池であり、パワーマネージメントＩＣ１７は、バッテリー１８からの電力を各部に必要な値に変換して供給する。また、本実施形態の場合、パワーマネージメントＩＣ１７は、バッテリー１８の残容量情報を、制御部１０に送る機能も備えている。
【００４２】
ＬＥＤ（発光ダイオード）２２は、キー照明用ＬＥＤ、着信ＬＥＤやカメラ撮影時の補助ライト用ＬＥＤ、表示部１３のバックライト用ＬＥＤと、それら各ＬＥＤの駆動回路とからなる。
【００４３】
バイブレータ２３は、例えばモータの回転軸に対して偏芯した位置に錘を備えており、制御部１０による制御の元、当該モータの回転により振動を発生する。
【００４４】
カメラ部２６は、レンズ系と撮像素子を備え、制御部１０による制御の元で撮像を行う。当該カメラ部２６にて撮影された画像は、画像処理部２５にて各種画質調整が施された後、必要に応じて内部メモリ１５に蓄積されたり、通信回路１１を通じて送信されたり、表示部１３へ出力されて表示される。
【００４５】
ＧＰＳ部２７は、ＧＰＳにおける測地衛星の発信する電波をＧＰＳアンテナを介して受信すると共に、その受信電波に基づいて、自端末の現在位置の緯度及び経度を求める。このＧＰＳ部２７が受信したＧＰＳ信号（緯度，経度を表す情報）は、制御部１０へ送られ、必要に応じて内部メモリ１５に蓄積されたり、通信回路１１を通じて送信される。
【００４６】
認証部２８は、上述した生体認証デバイスであり、例えば指紋，虹彩，静脈等に何れか若しくはそれらの組み合わせによる生体認証データを取得する。この生体認証データは、制御部１０へ送られ、前述した電源ＯＦＦ時等の際の認証に使用されたり、必要に応じて内部メモリ１５に蓄積されたり、通信回路１１を通じて送信される。
【００４７】
メモリ１５は、ＲＯＭ（Read Only Memory）とＲＡＭ（Random Access Memory）を含む。ＲＯＭは、ＯＳ（Operating System）、制御部１０が各部を制御するための制御プログラムや各種の初期設定値、フォントデータ、辞書データ、着信音やキー操作音，アラーム音用の報知音データ、本実施形態にかかる前述した各機能を実現するためのプログラムコード、電子メールの作成や編集等を行うためのアプリケーション用のプログラムコード、画像や音声に対して様々な処理を行うためのアプリケーション用プログラムコード、電子ゲームのアプリケーション用のプログラムコード、その他、携帯電話端末に搭載される各種のアプリケーション用のプログラムコード、当該携帯電話端末の識別情報（ＩＤ）などを記憶している。このＲＯＭは、いわゆるＮＡＮＤ型フラッシュメモリ（NAND-type flash memory）のような書き換え可能なＲＯＭを含み、電子メールデータ、ユーザにより設定される電話帳や電子メールアドレス、ユーザのスケジュールデータ、画像データ、ダウンロードされた画像データや音楽データ、ダウンロードされた着信音，報知音データ、文字データや予測変換の候補単語の登録データや予測変換の学習データ、前述の認証の際に使用される暗証番号や生体認証データ、管理者を認証するための認証情報、位置情報等を送信する際の送信先を示す情報、その他、各種の設定値等を保存することも可能となされている。ＲＡＭは、制御部１０が各種のデータ処理を行う際の作業領域として、随時データを格納する。
【００４８】
上記制御部１０は、通信回路１１における通信の制御、音声処理部２４や画像処理部２５の制御、ＬＥＤ２２、バイブレータ２４、カメラ部２６、認証部２８等の各制御の他、本実施形態の携帯電話端末の各構成要素の制御や各種演算処理を行う。また、制御部１０は、メモリ１５に記憶されている本実施形態にかかるプログラムコードにもとづいて、前述した各機能を実行するための処理や制御を行う。
【００４９】
その他、図２には図示を省略しているが、本発明の携帯電話端末は、外部メモリインターフェース、外部ケーブル用コネクタ、赤外線通信機能、近距離無線通信機能、電子財布機能など、一般的な携帯電話端末が備えている各構成要素についても備えている。
【００５０】
〔電源ＯＦＦボタンの押下操作時の制御〕
図３には、電源ＯＦＦボタンが操作されて電源ＯＦＦの指示がなされた時の、上記制御部１０の処理及び制御のフローチャートを示す。
【００５１】
図３において、制御部１０は、ステップＳ１の処理として、電源ＯＦＦボタンが押下操作されたか否か見ており、電源ＯＦＦボタンが押下操作されていない時には、ステップＳ２にて通常の待ち受けモードを維持する。一方、電源ＯＦＦボタンが押下操作された場合、制御部１０は、ステップＳ３へ処理を進める。
【００５２】
ステップＳ３の処理に進むと、制御部１０は、上記電源ＯＦＦボタンが押下操作される前か若しくは後の所定時間内に、前述した暗証番号の入力や生体認証デバイスを用いた認証等による所定の認証情報の入力がなされているか否かの判定を行い、認証情報の入力がなされている時にはステップＳ１０にて完全に電源をＯＦＦさせる。一方、認証情報の入力がなされていない場合、制御部１０は、ステップＳ４へ処理を進める。
【００５３】
ステップＳ４の処理に進むと、制御部１０は、「見掛け上の電源ＯＦＦ状態」へ当該端末の動作モード（以下、「見掛け上の電源ＯＦＦモード」と表記する）を遷移させると共に、外部から見て当該端末が動作しているかどうか判らない状態で、必要に応じて例えば現在位置の測位とその位置情報等の送信を行う動作モード（以下、「シークレット動作モード」と表記する）へ当該端末の動作モードを遷移させる。
【００５４】
またこの時、制御部１０は、ステップＳ５の処理として、タイマー動作の設定がなされているか否か判定し、タイマー動作の設定がなされている時には、ステップＳ６にて、当該端末の動作モードをタイマー動作モードに遷移させる。すなわちこの場合、上記「シークレット動作モード」において、上記位置検索や位置情報の送信の機能を通常はＯＦＦさせておき、タイマー設定されている一定時間毎に、それら位置検索や位置情報の送信の機能をＯＮさせて、位置検索の実行と位置情報の送信とを行う。一方、ステップＳ５にてタイマー動作の設定がなされていない場合、制御部１０は、ステップＳ７へ処理を進める。
【００５５】
ステップＳ７の処理に進むと、制御部１０は、パワーマネージメントＩＣ１７からバッテリー１８の残容量情報を取得し、バッテリー１８の残容量が所定の閾値以下になるか否か判断し、バッテリー残量が所定閾値以下になる虞があるときには、ステップＳ６へ処理を進め、当該端末の動作モードを上記タイマー動作モードに遷移させる。一方、バッテリー残量が充分残っている場合、制御部１０は、ステップＳ８へ処理を進める。
【００５６】
ステップＳ８の処理に進むと、制御部１０は、「シークレット動作モード」において上記通信回路１１が動作状態となっている時に、例えばインターネット２を経由した電子メール等により、管理者若しくはその管理者からの依頼を受けた者等の正当な者からの制御情報が受信されたか否か判定し、制御情報が受信されていない時にはステップＳ３へ処理を戻す。この場合、上記ステップＳ３ではＮｏと判定され、さらにステップＳ４ではそれ以前の動作モードを維持し、さらにステップＳ５〜ステップＳ７でも前述同様の処理がなされることになる。
【００５７】
一方、ステップＳ８にて制御情報が受信されたと判定し、ステップＳ９へ処理を進めると、制御部９は、当該制御情報に対応する設定や制御を行う。
【００５８】
ここで、ステップＳ８からステップＳ９へ処理を進めた場合において、上記制御情報がタイマー動作の設定や設定時間の変更等を指示する制御情報であったとすると、制御部１０は、その指示に応じてタイマー動作設定を行った後、ステップＳ３へ処理を戻す。この場合、制御部１０は、上記ステップＳ３ではＮｏと判定し、さらにステップＳ４ではそれ以前の動作モードを維持し、さらにステップＳ５ではタイマー動作の設定がなされたとしてステップＳ６へ処理を進めることになる。
【００５９】
また例えば、ステップＳ８からステップＳ９へ処理を進めた場合において、上記制御情報がタイマー動作の設定の解除を指示する制御情報であったとすると、制御部１０は、その制御情報の指示に応じてタイマー動作設定を解除した後、ステップＳ３へ処理を戻す。この場合、制御部１０は、上記ステップＳ３ではＮｏと判定し、さらにステップＳ４ではそれ以前の動作モードを維持し、さらにステップＳ５ではタイマー動作の設定がなされていないとしてステップＳ７へ処理を進めることになる。
【００６０】
また例えば、ステップＳ８からステップＳ９へ処理を進めた場合において、上記制御情報が管理者等からの認証情報を含むと共に「見掛け上の電源ＯＦＦ状態」の解除を指示する制御情報であったとすると、制御部１０は、ステップＳ３へ処理を戻し、当該ステップＳ３でのＹｅｓ判定を行い、さらに、ステップＳ１０にて当該端末を完全な電源ＯＦＦ状態に遷移させる。
【００６１】
また例えば、ステップＳ８からステップＳ９へ処理を進めた場合において、上記制御情報が位置検索と位置情報の送信を要求する制御情報であったとすると、制御部１０は、その制御情報の指示に従ってＧＰＳ部２７に位置測位を行わせると共に、通信回路１１からその位置情報の送信を行わせた後、ステップＳ３へ処理を戻す。
【００６２】
また例えば、ステップＳ８からステップＳ９へ処理を進めた場合において、上記制御情報が音声の取得やカメラ画像の取得とそれらの情報送信の送信を要求する制御情報であったとすると、制御部１０は、マイクロホン２１にて音声を取得させたり、カメラ部２６にて画像の撮影を行わせると共に、通信回路１１からそれら音声や画像の情報を送信させた後、ステップＳ３へ処理を戻す。
【００６３】
このように、制御部１０は、制御情報が受信された時には、ステップＳ９において、その制御情報の指示に応じた各種の制御動作を行う。他の動作例についての説明は省略する。
【００６４】
〔電源ＯＮボタンの押下操作時の制御〕
図４には、例えば携帯電話端末の動作モードが「見掛け上の電源ＯＦＦモード」になっている時に電源ＯＮボタンが押下操作された時の、上記制御部１０の処理及び制御のフローチャートを示す。
【００６５】
図４において、制御部１０は、ステップＳ２１の処理として、「見掛け上の電源ＯＦＦモード」時に電源ＯＮボタンが押下操作されたか否か見ており、電源ＯＮボタンが押下操作されていない時には、図３のフローチャートへ処理を戻し、一方、電源ＯＮボタンが押下操作された時には、ステップＳ２２へ処理を進める。
【００６６】
ステップＳ２２の処理に進むと、制御部１０は、「見掛け上の電源ＯＦＦモード」を解除して電源ＯＮ状態にした後、ステップＳ２３へ処理を進める。
【００６７】
ステップＳ２３の処理に進むと、制御部１０は、例えば、上記電源ＯＮボタンが押下操作された後の所定時間内に、前述した暗証番号の入力や生体認証デバイスを用いた認証等による所定の認証情報の入力がなされているか否かの判定を行い、認証情報の入力がなされた時にはステップＳ２６へ処理を進め、一方、認証情報の入力がなされていないときにはステップＳ２４へ処理を進める。
【００６８】
ステップＳ２６の処理に進んだ場合、制御部１０は、「シークレット動作モード」を解除すると共に、「タイマー動作モード」になっているときにはそれも解除した後、ステップＳ２７にて当該端末の動作モードを通常の待ち受けモードに遷移させる。
【００６９】
一方、ステップＳ２４の処理に進んだ場合、制御部１０は、電源ＯＮ状態であっても「シークレット動作モード」を維持すると共に、「タイマー動作モード」になっているときにはその動作モードも維持し、その後、ステップＳ２５へ処理を進める。
【００７０】
ステップＳ２５の処理に進むと、制御部１０は、バッテリーの残量が例え充分に残っている場合であっても、ディスプレイ上のバッテリー残量表示をエンプティ表示（電池切れ警告表示）にする。
【００７１】
〔シークレット動作モードとタイマー動作モードの関係〕
本実施形態の携帯電話端末は、動作モードが「シークレット動作モード」になっており、さらに「タイマー動作モード」になっているか否かでその動作が異なる。
【００７２】
図５には、「シークレット動作モード」と「タイマー動作モード」の関係に応じた制御部１０の処理及び制御のフローチャートを示す。なお、この図５のフローチャートは、「シークレット動作モード」は、当該端末が「見掛け上の電源ＯＦＦモード」と電源ＯＮ状態の何れであっても適用される。
【００７３】
図５において、制御部１０は、当該端末の動作モードが「シークレット動作モード」である時、ステップＳ３１の処理として、現在の動作モードが「タイマー動作モード」であるか否か判定し、「タイマー動作モード」になっていない時にはステップＳ３５へ処理を進め、「タイマー動作モード」になっている時にはステップＳ３２へ処理を進める。
【００７４】
ステップＳ３２の処理に進むと、制御部１０は、時計部１６からの時間情報により、タイマー設定時間になったか否か判断し、タイマー設定時間になっていない時には処理を戻し、タイマー設定時間になった時にはステップＳ３３へ処理を進める。
【００７５】
ステップＳ３３の処理に進むと、制御部１０は、ＧＰＳ部２７に対して測位を行わせ、次いで、ステップＳ３４にてその位置情報を通信回路１１から送信させると共に、当該端末に宛てた電子メール等の情報が有る場合にはその情報受信を行う。
【００７６】
一方、ステップＳ３５の処理に進んだ場合、制御部１０は、例えば、基地局へ位置登録を行うための通信動作や、電子メールの送受信のための通信動作、発着信のための通信動作等の何れかの通信動作が発生するか否か判定し、通信動作が発生する時にはステップＳ３３へ処理を進め、通信動作が発生しない時にはステップＳ３１へ処理を戻す。
【００７７】
ステップＳ３５にて通信動作が発生すると判定してステップＳ３３の処理に進んだ場合、制御部１０は、上述同様に測位を行い、次いで、ステップＳ３４にて、上記ステップＳ３５で発生する通信動作と同時に上記位置情報の送信を行うと共に、当該端末に宛てた電子メール等の情報が有る場合にはその情報受信を行う。
【００７８】
〔まとめ〕
以上説明したように本発明実施形態によれば、携帯電話端末がその管理者や使用者の意思に反して第三者の手に渡ってしまった場合に、その第三者に知られることなく、当該携帯電話端末の現在位置を特定する手がかりを得ることができる。特に、本実施形態によれば、電源ＯＦＦボタン操作時に認証情報の入力が必要なことを第三者に知られないようになされているため、当該第三者が電源ＯＦＦボタンを操作して当該端末の電源を切ったつもりになっている場合でも、現在位置を特定でき、また、その端末を制御することが可能である。
【００７９】
また、本実施形態によれば、管理者等による携帯電話端末の位置検索は、当該端末がどのような状態であったとしても、第三者に知られることなく行われる。逆に、本実施形態の携帯電話端末によれば、管理者等の正当な人以外からの位置検索要求がなされたような場合は、バイブレータを振動させたり警告音を発するようになされているため、不正なアクセスを防止することができる。
【００８０】
また、本実施形態の携帯電話端末によれば、タイマー動作の設定が可能となされているため、例えば一日に一回だけ動作させるようなことが可能となり、再充電が出来ないような状況に置かれている場合であっても、バッテリーの残量の減少を少なくすることができ、情報通信が可能な期間を延ばすことができる。さらに、本実施形態の携帯電話端末によれば、例えば「見掛け上の電源ＯＦＦ状態」から認証無しに電源ＯＮされた場合に、バッテリー残量が充分に残っていても、ディスプレイ上にバッテリー残量エンプティ表示を行うことで、バッテリー切れで使えなくなるという心理的な圧力を第三者に与えることで当該第三者に対して電源ＯＦＦ操作を促すことができ、それによってもバッテリー残量の減少を抑えることが可能となる。
【００８１】
また、本実施形態の携帯電話端末は、バッテリーが一旦外された後に装着された場合には、通常動作に戻ることになるが、そのような場合であっても、例えば管理者側から制御情報を送信することで、第三者に知られることなく、当該端末の動作を制御することができる。
【００８２】
さらに、本実施形態の携帯電話システムによれば、本実施形態の携帯電話端末が「見掛け上の電源ＯＦＦ状態」である時には、管理者等からの電子メール等による制御情報の送信のみを許可することで、他の電子メールの着信等がなされてしまうことを防止できる。
【００８３】
また、本実施形態に携帯電話システムによれば、本実施形態の携帯電話端末が「見掛け上の電源ＯＦＦ状態」である時には、当該携帯電話端末への発呼に対する留守番電話サービスを立ち上げるようになされている。このため、例えば、上記第三者が当該携帯電話端末へ電話を架け、この端末が本当に電源ＯＦＦ状態になっているか確認しようとした場合でも、留守番電話サービスに接続され。当該端末が本当に電源ＯＦＦ状態になっていると、第三者に思わせることができる。
【００８４】
また、本実施形態の携帯電話端末によれば、管理者側からの制御情報により、電源のＯＮ，ＯＦＦなどの遠隔制御が可能となされているため、例えば行方不明者が故意或いは誤って電源ＯＦＦボタンを操作した場合であっても、電源を強制的にＯＮすることが可能である。
【００８５】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００８６】
本発明は携帯電話端末に限定されず、通信機能を備えた例えばＰＤＡ（Personal Digital Assistant），カーナビゲーション装置，携帯型テレビゲーム装置等の各種の携帯通信端末にも適用可能である。
【図面の簡単な説明】
【００８７】
【図１】本発明実施形態の携帯電話システムの概念図である。
【図２】本発明実施形態の携帯電話端末の概略的な内部回路構成を示すブロック図である。
【図３】本実施形態の携帯電話端末の電源ＯＦＦボタンが操作されて電源ＯＦＦの指示がなされた時の、制御部における処理及び制御のフローチャートである。
【図４】本実施形態の携帯電話端末の動作モードが「見掛け上の電源ＯＦＦモード」になっている時に電源ＯＮボタンが押下操作された時の、制御部における処理及び制御のフローチャートである。
【図５】本実施形態の携帯電話端末における「シークレット動作モード」と「タイマー動作モード」の関係に応じた制御部の処理及び制御のフローチャートである。
【符号の説明】
【００８８】
１  管理者のパーソナルコンピュータ、２  インターネット、３  プロバイダのサーバ、４  コアネットワークシステム、５  携帯電話システムの通信網、６  携帯電話システムの管理サーバ、７  基地局、８  携帯電話端末、１０  制御部、１１  通信回路、１２  通信アンテナ、１３  表示部、１４  操作部、１５  メモリ、１６  時計部、１７  パワーマネージメントＩＣ、１８  バッテリー、２０  スピーカ、２１  マイクロホン、２２  ＬＥＤ、２３  バイブレータ、２４  音声処理部、２５  画像処理部、２６  カメラ部、２７  ＧＰＳ部、２８  認証部
【図１】
0004392756.tif 000002
【図２】
0004392756.tif 000003
【図３】
0004392756.tif 000004
【図４】
0004392756.tif 000005
【図５】
0004392756.tif 000006